(57)【要約】【課題】複数の液晶パネルを継ぎ合わせた大型の液晶パネルを用いて液晶表示装置において、継ぎ目部分における遮光部の幅をある程度確保しながらも、継ぎ目部分を目立たないようにした液晶表示装置を提供することを課題とする。【解決手段】各液晶パネル１１において隣り合う画素列Ｘ１、Ｘ２、・・・、Ｘ６４０（ｎ＝６４０）が接近し画素列群Ｘ´１、Ｘ´２、・・・、Ｘ´３２０（ｉ＝３２０）を形成するために、各液晶パネル１１を継ぎ合わせた際の継ぎ目部分において遮光部１３の幅を確保することが出来る。したがって接続側面１１´ｘ付近においてもシール材を塗布する等のための十分なスペースを確保しながら継ぎ目部分を目立たなくすることが出来る。【選択図】　　　　図１
2004061527.tif 000002
【特許請求の範囲】
【請求項１】
液晶パネルを横方向へ継ぎ合わせた液晶表示装置において、一対の基板を貼り合せてなる前記液晶パネルは縦方向に伸びる複数の画素列を形成すると共に、前記画素列の周りに遮光部を形成しており、
隣り合う前記画素列が前記遮光部の幅を狭めるように接近してなる画素列群が、前記液晶パネル全体にわたって複数形成されており、
隣り合う前記画素列群の間の前記遮光部の幅は、前記画素列群における前記画素列の間の前記遮光部の幅より広くなっていることを特徴とする液晶表示装置。
【請求項２】
前記画素列群は、前記画素列に平行な前記液晶パネルの接続側面から該接続側面に最も近い前記画素列群との間の遮光部の幅が、前記接続側面に最も近い前記画素列群とその隣の画素列群との間の遮光部の幅の略半分になるように、形成されていることを特徴とする請求項１記載の液晶表示装置。
【請求項３】
前記画素列群は、前記画素列に平行な前記液晶パネルの接続側面から該接続側面に最も近い前記画素列群との間の遮光部の幅が、隣り合う画素列群の間の遮光部の幅の略半分になるように、前記液晶パネルの全体にわたって形成されていることを特徴とする請求項１記載の液晶表示装置。
【請求項４】
前記画素列群は２つの画素列からなっていることを特徴とする請求項１から３の何れか一項記載の液晶表示装置。
【請求項５】
液晶パネルを縦方向へ継ぎ合わせた液晶表示装置において、一対の基板を貼り合せてなる前記液晶パネルは横方向に伸びる複数の画素行を形成すると共に、前記画素行の周りに遮光部を形成しており、
隣り合う前記画素行が前記遮光部の幅を狭めるように接近してなる画素行群が、前記液晶パネル全体にわたって複数形成されており、
隣り合う前記画素行群の間の前記遮光部の幅は、前記画素行群における前記画素行の間の前記遮光部の幅より広くなっていることを特徴とする液晶表示装置。
【請求項６】
前記画素行群は、前記画素行に平行な前記液晶パネルの接続側面から該接続側面に最も近い前記画素行群との間の遮光部の幅が、前記接続側面に最も近い前記画素行群とその隣の画素行群との間の遮光部の幅の略半分になるように、形成されていることを特徴とする請求項５記載の液晶表示装置。
【請求項７】
前記画素行群は、前記画素行に平行な前記液晶パネルの接続側面から該接続側面に最も近い前記画素行群との間の遮光部の幅が、隣り合う画素行群の間の遮光部の幅の略半分になるように、前記液晶パネルの全体にわたって形成されていることを特徴とする請求項５記載の液晶表示装置。
【請求項８】
前記画素行群は２つの画素行からなっていることを特徴とする請求項５から７の何れか一項記載の液晶表示装置。
【請求項９】
複数の液晶パネルを縦方向と横方向に継ぎ合わせた液晶表示装置において、
一対の基板を貼り合せてなる前記液晶パネルは縦方向に伸びる複数の画素列と、該画素列と交差するようにして横方向に伸びる複数の画素行を形成すると共に、前記画素列と前記画素行の周りに遮光部を形成しており、
隣り合う前記画素列が前記遮光部の幅を狭めるように接近してなる画素列群と、隣り合う前記画素行が前記遮光部の幅を狭めるように接近してなる画素行群とが、前記液晶パネル全体にわたって複数形成されているおり、
隣り合う前記画素列群の間の前記遮光部の幅は、前記画素列群における前記画素列の間の前記遮光部の幅より広くなっていると共に、
隣り合う前記画素行群の間の前記遮光部の幅は、前記画素行群における前記画素行の間の前記遮光部の幅より広くなっていることを特徴とする液晶表示装置。
【請求項１０】
前記画素列群は、前記画素列に平行な前記液晶パネルの接続側面から該接続側面に最も近い前記画素列群との間の遮光部の幅が、前記接続側面に最も近い前記画素列群とその隣の画素列群との間の遮光部の幅の略半分になるように、形成されており、
前記画素行群は、前記画素行に平行な前記液晶パネルの接続側面から該接続側面に最も近い前記画素行群との間の遮光部の幅が、前記接続側面に最も近い前記画素行群とその隣の画素行群との間の遮光部の幅の略半分になるように、形成されていることを特徴とする請求項９記載の液晶表示装置。
【請求項１１】
前記画素列は、前記画素列に平行な前記液晶パネルの接続側面から該接続側面に最も近い前記画素列群との間の遮光部の幅が、隣り合う画素列群の間の遮光部の幅の略半分になるように、前記液晶パネルの全体にわたって形成されており、
前記画素行は、前記画素行に平行な前記液晶パネルの接続側面から該接続側面に最も近い前記画素行群との間の遮光部の幅が、隣り合う画素行群の間の遮光部の幅の略半分になるように、前記液晶パネルの全体にわたって形成されていることを特徴とする請求項９記載の液晶表示装置。
【請求項１２】
前記画素列群は２つの画素列からなっており、前記画素行群も２つの画素行からなっていることを特徴とする請求項９から１１の何れか一項記載の液晶表示装置。
【発明の詳細な説明】
【０００１】
【発明の属する技術分野】
本発明は液晶パネルを複数継ぎ合わせて用いた液晶表示装置に関し、特に液晶パネルを継ぎ合わせた際の継ぎ目を目立たなくしたものである。
【０００２】
【従来の技術】
近年大型の表示装置に対する需要がますます拡大している。その中にあって、薄型化可能、低消費電力等様々な利点を有する液晶パネルを用いた大型の液晶表示装置に対する期待が特に高まっている。この大型の液晶表示装置に用いられている液晶パネルには、１枚の大型のガラス基板を用いて造られているものもある。しかし歩留まり等の点から、小型あるいは中型の液晶パネルを複数枚用いて、これらの液晶パネルを継ぎ合わせることにより１枚の大型液晶パネルが造られているものも多い。
【０００３】
一方、液晶パネルを継ぎ合わせた表示装置の場合、映像を表示した際に継ぎ目部分が目立ってしまい、観察者に違和感を与えてしまうという問題がある。この継ぎ目部分が目立ってしまうという問題を解決するものとして、特開平１０−９６９１１等が知られている。
【０００４】
【発明が解決しようとする課題】
これは複数の液晶パネルを継ぎ合わせる際に継ぎ合わせる側における遮光部の幅を通常よりも狭くしたものである。つまり図３に示すようになっている。図３は大型液晶パネル１の中心付近を拡大した平面図である。大型液晶パネル１は４枚の液晶パネル２を継ぎ合わせて造られている。隣り合う液晶パネル２とは接続側面２´において接着剤等で接続されている。それぞれの液晶パネル２には複数の表示上の画素部３と画素部３の周りを囲む遮光部４が形成されている。
【０００５】
そして各液晶パネル２において画素部３は等間隔で配置（つまり隣り合う画素部３間における遮光部４の幅が等しい）されるとともに、接続側面２´に最も近い画素部３と接続側面２´までの遮光部４における幅をｄｒ、その他の隣り合う画素部３の間の遮光部４における幅をｄｓとすると、ｄｒはｄｓの略半分になっている。こうすることにより大型液晶パネル１における液晶パネル２同士の継ぎ目部分の大きさがｄｒの２倍となり、２×ｄｒ＝ｄｓとなるため、継ぎ目が目立たなくなるというものである。
【０００６】
しかしながら、液晶パネル２は２枚の透明基板を貼り合わせて造られるものである。したがって接続側面２´の付近にはシール材を塗布しなければならない等、この部分での遮光部４の幅ｄｒを他の部分での遮光部４の幅ｄｓよりも短く、しかもｄｓの半分にするのは実際には非常に難しい。
【０００７】
そこで、本発明は継ぎ目部分における遮光部の幅をある程度確保しながらも、継ぎ目部分を目立たないようにした液晶表示装置を提供することを課題とする。
【０００８】
【課題を解決するための手段】
本発明は、液晶パネルを横方向へ継ぎ合わせた液晶表示装置において、一対の基板を貼り合せてなる前記液晶パネルは縦方向に伸びる複数の画素列を形成すると共に、前記画素列の周りに遮光部を形成しており、隣り合う前記画素列が前記遮光部の幅を狭めるように接近してなる画素列群が、前記液晶パネル全体にわたって複数形成されており、隣り合う前記画素列群の間の前記遮光部の幅は、前記画素列群における前記画素列の間の前記遮光部の幅より広くなっていることを特徴とするものである。
【０００９】
また本発明は、前記画素列群は、前記画素列に平行な前記液晶パネルの接続側面から該接続側面に最も近い前記画素列群との間の遮光部の幅が、前記接続側面に最も近い前記画素列群とその隣の画素列群との間の遮光部の幅の略半分になるように、形成されていることを特徴とする液晶表示装置である。
【００１０】
また本発明は、前記画素列群は、前記画素列に平行な前記液晶パネルの接続側面から該接続側面に最も近い前記画素列群との間の遮光部の幅が、隣り合う画素列群の間の遮光部の幅の略半分になるように、前記液晶パネルの全体にわたって形成されていることを特徴とする液晶表示装置である。
【００１１】
また本発明は、前記画素列群は２つの画素列からなっていることを特徴とする液晶表示装置である。
【００１２】
また本発明は、液晶パネルを縦方向へ継ぎ合わせた液晶表示装置において、一対の基板を貼り合せてなる前記液晶パネルは横方向に伸びる複数の画素行を形成すると共に、前記画素行の周りに遮光部を形成しており、隣り合う前記画素行が前記遮光部の幅を狭めるように接近してなる画素行群が、前記液晶パネル全体にわたって複数形成されており、隣り合う前記画素行群の間の前記遮光部の幅は、前記画素行群における前記画素行の間の前記遮光部の幅より広くなっていることを特徴とするものである。
【００１３】
また本発明は、前記画素行群は、前記画素行に平行な前記液晶パネルの接続側面から該接続側面に最も近い前記画素行群との間の遮光部の幅が、前記接続側面に最も近い前記画素行群とその隣の画素行群との間の遮光部の幅の略半分になるように、形成されていることを特徴とする液晶表示装置である。
【００１４】
また本発明は、前記画素行群は、前記画素行に平行な前記液晶パネルの接続側面から該接続側面に最も近い前記画素行群との間の遮光部の幅が、隣り合う画素行群の間の遮光部の幅の略半分になるように、前記液晶パネルの全体にわたって形成されていることを特徴とする液晶表示装置である。
【００１５】
また本発明は、前記画素行群は２つの画素行からなっていることを特徴とする液晶表示装置である。
【００１６】
また本発明は、複数の液晶パネルを縦方向と横方向に継ぎ合わせた液晶表示装置において、一対の基板を貼り合せてなる前記液晶パネルは縦方向に伸びる複数の画素列と、該画素列と交差するようにして横方向に伸びる複数の画素行を形成すると共に、前記画素列と前記画素行の周りに遮光部を形成しており、隣り合う前記画素列が前記遮光部の幅を狭めるように接近してなる画素列群と、隣り合う前記画素行が前記遮光部の幅を狭めるように接近してなる画素行群とが、前記液晶パネル全体にわたって複数形成されているおり、隣り合う前記画素列群の間の前記遮光部の幅は、前記画素列群における前記画素列の間の前記遮光部の幅より広くなっていると共に、隣り合う前記画素行群の間の前記遮光部の幅は、前記画素行群における前記画素行の間の前記遮光部の幅より広くなっていることを特徴とするものである。
【００１７】
また本発明は、前記画素列群は、前記画素列に平行な前記液晶パネルの接続側面から該接続側面に最も近い前記画素列群との間の遮光部の幅が、前記接続側面に最も近い前記画素列群とその隣の画素列群との間の遮光部の幅の略半分になるように、形成されており、前記画素行群は、前記画素行に平行な前記液晶パネルの接続側面から該接続側面に最も近い前記画素行群との間の遮光部の幅が、前記接続側面に最も近い前記画素行群とその隣の画素行群との間の遮光部の幅の略半分になるように、形成されていることを特徴とする液晶表示装置である。
【００１８】
また発明は、前記画素列は、前記画素列に平行な前記液晶パネルの接続側面から該接続側面に最も近い前記画素列群との間の遮光部の幅が、隣り合う画素列群の間の遮光部の幅の略半分になるように、前記液晶パネルの全体にわたって形成されており、前記画素行は、前記画素行に平行な前記液晶パネルの接続側面から該接続側面に最も近い前記画素行群との間の遮光部の幅が、隣り合う画素行群の間の遮光部の幅の略半分になるように、前記液晶パネルの全体にわたって形成されていることを特徴とする液晶表示装置である。
【００１９】
また本発明は、前記画素列群は２つの画素列からなっており、前記画素行群も２つの画素行からなっていることを特徴とする液晶表示装置である。
【００２０】
【発明の実施の形態】
以下、本発明の一実施形態について図面を用いて説明する。図１は本発明の液晶表示装置に用いられる大型液晶パネル１０の中心付近を拡大した平面図を示している。大型液晶パネル１０は具体的には対角８０インチのものであり、対角４０インチの液晶パネル１１を４枚継ぎ合わせて造られている。隣り合う液晶パネル１１とは液晶パネル１１の互いの接続側面１１´において接着剤等で接続されている。ここで縦方向の接続側面１１´を１１´ｘ、横方向の接続側面１１´を１１´ｙとする。
【００２１】
各液晶パネル１１は一対の透明基板をシール材によって貼り合わせ、両基板間に液晶を注入して造られたものである。各液晶パネル１１にはＲ（赤）、Ｇ（緑）、Ｂ（青）のカラーフィルターを備えた３つのサブ画素（図示せず）により構成されている表示上の画素部１２が複数形成されているとともに、画素部１２の周りを囲んでブラックマトリクスからなる遮光部１３が形成されている。大型液晶パネル１０の背後に配置されるバックライト（図示せず）からの光はこの画素部１２を通過するとともに、この遮光部１３において遮断される。各液晶パネル１１において、接続側面１１´ｘと平行な縦方向に配置された画素部１２の数は３８４、接続側面１１´ｙと平行な横方向に配置された画素部１２の数は６４０となっている。
【００２２】
接続側面１１´ｘと平行に伸びる画素部１２の列を画素列Ｘｎ、本実施形態においてＸｎはＸ１、Ｘ２、・・・、Ｘ６４０（ｎ＝６４０）とし、接続側面１１´ｘに最も近い画素列をＸ１、接続側面１１´ｘから最も遠い画素列をＸ６４０とする。
【００２３】
通常、総ての画素列は等間隔に形成されているが、本実施形態においては隣り合う数画素列が近寄ることによりその間の遮光部１３の幅が狭くなっているものと、隣り合う画素列が離れことによりその間の遮光部１３の幅が広くなっているものとが有る。そしてこの接近した画素列により画素列群が形成されている。具体的には隣り合う画素列が２つずつ接近し、パネル全体にわたって画素列群Ｘ´ｉ、本実施形態においてＸ´ｉはＸ´１、Ｘ´２、・・・、Ｘ´３２０（ｉ＝３２０）が形成されている。なお画素列群Ｘ´１は画素列Ｘ１とＸ２、画素列群Ｘ´２は画素列Ｘ３とＸ４、そしてＸ´３２０はＸ６３９とＸ６４０からというようになっている。
【００２４】
このように隣り合ういくつかの画素列が接近し、画素列群を形成することで、液晶パネル１１を継ぎ合わせた際の継ぎ目部分の幅を確保することが可能となる。つまり図２に示すようになっている。図２は従来の液晶表示装置における画素部の位置と本発明における液晶表示装置の画素部の位置との比較を示したものであり、（ａ）は従来の液晶パネルにおける接続側面付近の拡大図、（ｂ）は図１に示した液晶パネルにおける接続側面付近の拡大図である。なお図２の（ａ）と図３とは関係なく、また図２の（ａ）と（ｂ）において同様のものを示している場合には同じ符号を付している。
【００２５】
（ａ）において各液晶パネルにおける画素部１２は等間隔で配置されており、６４０列からなる画素列で構成されている。各液晶パネルにおいて隣り合う画素列の間隔は等しくなっており、遮光部の幅が液晶パネル全体にわたって等しくなっている。そして継ぎ目部分を目立たなくするために、接続側面１１´ｘに最も近い画素列Ｘ１と、隣り合う液晶パネルにおける画素列Ｘ１との間隔も、各液晶パネルにおける画素列間の間隔と等しくなっている。したがって各液晶パネルにおいては、画素列Ｘ１から接続側面１１´ｘまでの遮光部１３の幅をｄｔ、隣り合う画素列間の遮光部１３の幅をｄｕとすると、ｄｔはｄｕの半分となっている。
【００２６】
一方（ｂ）では各液晶パネル１１において隣り合う画素列が接近し画素列群Ｘ´１、Ｘ´２、・・・、Ｘ´３２０を形成している。画素列群Ｘ´１は画素列Ｘ１とＸ２とが接近して形成されている。また画素列Ｘ１は接続側面１１´ｘとの間の遮光部１３の幅を広げるようにして画素列Ｘ２と接近している。したがって画素列群Ｘ´１から接続側面１１´ｘまでの遮光部１３の幅、つまり画素列群Ｘ´１を構成する画素列Ｘ１、Ｘ２の内、画素列Ｘ１と接続側面１１´ｘとの間の遮光部１３の幅をｄｖとすると、ｄｖは（ａ）におけるｄｔよりも広くなっている。同じパネルの大きさで、同じ数の画素部１２を有する液晶パネルにおいて、（ａ）のようにして遮光部１３の幅ｄｔを確保することは難しいが、（ｂ）のようにすれば遮光部１３の幅ｄｖをより確保しやすくなる。
【００２７】
また、隣り合う画素列群との幅、つまり画素列群Ｘ´１と画素列群Ｘ´２の場合画素列群Ｘ´１における画素列Ｘ２と画素列群Ｘ´２における画素列Ｘ３との間の遮光部１３の幅をｄｗとすると、ｄｗをｄｖの略２倍（ｄｗ＝２×ｄｖ）にすることにより、大型液晶パネル１０における画素列群は遮光部１３の幅をｄｗとして略等間隔で液晶パネル１１全体にわたって形成されることになるので、大型液晶パネル１０における液晶パネル１１同士の縦方向の継ぎ目をより目立たなくすることができる。
【００２８】
また、（ａ）において画素列Ｘ１から接続側面１１´ｘまでの遮光部１３の幅についてｄｖ確保し、隣り合う画素列間の遮光部１３の幅についてｄｗ確保すると液晶パネル自体が大きくなり、遮光部１３の占める割合も増えてしまうためパネル全体として輝度が低くなってしまうが、本発明における液晶パネル１１の場合はそのようなことはなく高輝度、高精細なものが実現できる。
【００２９】
また、画素列群が液晶パネル全体にわたって形成されているため、透過部１２に形成されるスイッチング素子や遮光部１３に位置する走査線、映像線等の配線パターンの設計は比較的容易であり、マスクパターンを削減できる等製造コストを抑えることができる。
【００３０】
次に、接続側面１１´ｙと平行に伸びる画素部１２の行を画素行Ｙｍ、本実施形態においてＹｍはＹ１、Ｙ２、・・・、Ｙ３８４（ｍ＝３８４）とし、接続側面１１´ｙに最も近い画素行をＹ１、接続側面１１´ｙから最も遠い画素行をＹ３８４とする。
【００３１】
通常、総ての画素行は等間隔に形成されているが、本実施形態においては隣り合う数画素行が近寄ることによりその間の遮光部１３の幅が狭くなっているものと、隣り合う画素行が離れことによりその間の遮光部１３の幅が広くなっているものとが有る。そしてこの接近した画素行により画素行群が形成されている。具体的には隣り合う画素行が２つずつ接近し、パネル全体にわたって画素行群Ｙ´ｊ、本実施形態においてＹ´ｊはＹ´１、Ｙ´２、・・・、Ｙ´１９２（ｊ＝１９２）が形成されている。なお画素行群Ｙ´１は画素行Ｙ１とＹ２、画素行群Ｙ´２は画素行Ｙ３とＹ４、そしてＹ´１９２はＹ３８３とＹ３８４からというようになっている。
【００３２】
このように隣り合ういくつかの画素行が接近し、画素行群を形成することで、上記した画素列群を形成する場合の効果と同様な効果が大型液晶パネル１０の横方向においても得ることが出来る。
【００３３】
なお、上記実施形態においては液晶パネル１１に画素列群と画素行群がともに形成されている。したがって液晶パネル１１全体において縦方向と横方向の継ぎ目は目立ち難くなっているため、より表示品位の高い液晶表示装置となっている。
【００３４】
また、上記実施形態では、液晶パネル１１全体において画素列群と画素行群とが共に同数ずつの２つの画素列、２つの画素行からなっている。したがって液晶パネル１１のある一定範囲における画素部１２の数は液晶パネル１１のどの範囲においても等しくなっているため、輝度にムラのない液晶パネル１１が実現できる。また画素列、画素行の脇には必ず幅の広い遮光部１３が位置することになり当該スペースを有効に利用できると共に、走査線、映像線等の配線パターンの設計は比較的容易である。また液晶パネル１１を分割露光により製造する場合画素部１２の配置は液晶パネル１１全体において同じなので、マスクパターンを削減できる等製造コストを抑えることができる。
【００３５】
また、本発明の要旨を逸脱しない範囲であれば上記実施形態以外の形態も可能である。上記実施形態では、液晶パネル１１の縦方向と横方向において画素列群と画素行群を形成しているがどちらか一方だけであってもよい。大型の液晶表示装置の場合にはその用途により、たとえば観察者が下から見上げるようにして使われることも有り、この場合縦方向の継ぎ目は気になるが、横方向の継ぎ目はさほど気にならないこともあり得る。そのような時には縦方向においてだけ画素列群を形成してもよい。
【００３６】
また、上記実施形態では１つの画素列群、画素行群共に２つの画素列、画素行で形成しているがこれに限定されるものではなく、１つの画素列群、画素行群を３つ以上の画素列、画素行により形成してもよい。１つの画素列群、画素行群を多くの画素列、画素行により形成することで隣り合う画素列群の間の遮光部１３の幅、隣り合う画素行群の間の遮光部１３の幅をより広く確保することができる。
【００３７】
また、上記実施形態では画素列群、画素行群が液晶パネル１１全体にわたって同数の画素列、画素行により形成されているが、液晶パネル１１における画素部１２の数によっては、同数の画素列、画素行により画素列群、画素行群を形成しながらも、画素列、画素行の数が余ること等により接続側面１１´の反対側では画素列群、画素行群を異なる数の画素列、画素行により形成する場合や、画素列群や画素行群を形成しない画素列、画素行が存在する場合もあり得ることはいうまでもない。
【００３８】
また、上記実施形態では画素部１２をＲ（赤）、Ｇ（緑）、Ｂ（青）の３つのサブ画素により構成しているが、画素部１２を例えばＲ（赤）、Ｇ（緑）、Ｂ（青）、Ｒ（赤）、Ｇ（緑）、Ｂ（青）と３つのサブ画素を繰り返した６つのサブ画素から構成するように、より多くのサブ画素により構成したものでもよい。
【００３９】
【発明の効果】
以上のように本発明によれば、隣り合う画素列、画素行が接近し画素列群、画素行群を形成するために、従来の液晶パネルと同様の大きさ、画素部の数でありながら、隣り合う画素列群、隣り合う画素行群の間の遮光部は広くなり、各液晶パネルを継ぎ合わせた際の継ぎ目部分において遮光部の幅を確保することが出来る。したがって接続側面付近においてもシール材を塗布する等のための十分なスペースを確保することが出来る。また隣り合う画素列群、画素行群の間の遮光部が広くなるので、継ぎ目部分だけが際立って目立つことによる表示上の違和感も減少する。また接続側面からその接続側面に最も近い画素列群、画素行群までの遮光部の幅を、隣り合う画素列群間、画素行群間の遮光部の幅の半分にすることにより、液晶パネルを継ぎ合わせてなる大型液晶パネル全体において画素列群、画素行群が等間隔に形成されるので、継ぎ目の目立たない液晶表示装置を提供することが可能となる。
【図面の簡単な説明】
【図１】本発明の液晶表示装置における大型液晶パネルの拡大平面図である。
【図２】従来の液晶表示装置における画素部と本発明の液晶表示装置における画素部との位置関係を示す図であり、（ａ）は従来のもの、（ｂ）は本発明によるものを示している。
【図３】従来の液晶表示装置における大型液晶パネルの拡大平面図である。
【符号の説明】
１０　大型液晶パネル
１１　液晶パネル
１１´、１１´ｘ、１１´ｙ　接続側面
１２　画素部
１３　遮光部
Ｘｎ　画素列
Ｙｍ　画素行
Ｘ´ｉ　画素列群
Ｙ´ｊ　画素行群
【図１】
2004061527.tif 000003
【図２】
2004061527.tif 000004
【図３】
2004061527.tif 000005